(57)【要約】【課題】  送信側ファクシミリ装置と交換機との間に用いて誤ダイヤル防止を図ることができるアダプタ装置を提供する。【解決手段】  送信側ファクシミリ装置と交換機との間に用いる誤ダイヤル防止のためのアダプタ装置であって、送信側ファクシミリ装置からのダイヤル情報が誤ダイヤル情報として蓄積したダイヤル情報と同じであった場合には、送信側ファクシミリ装置と交換機側との通信回線の接続を切り離して誤ダイヤルを防止し、設定された時間経過後に送信側ファクシミリ装置と交換機側との通信回線の接続を元に戻す機能を有するシステム制御部１３を備えた。【選択図】  図１
2005236580.tif 000002
【特許請求の範囲】
【請求項１】
送信側ファクシミリ装置と交換機との間に介在された誤ダイヤル防止のためのアダプタ装置であって、送信側ファクシミリ装置からのダイヤル情報が誤ダイヤル情報として蓄積したダイヤル情報と同じであった場合には、送信側ファクシミリ装置と交換機側との通信回線の接続を切替ＳＷ部にて切り離して誤ダイヤルを防止し、設定された時間経過後に送信側ファクシミリ装置と交換機側との通信回線の接続を元に戻す機能を有するシステム制御部を備えたことを特徴とするアダプタ装置。
【請求項２】
送信側ファクシミリ装置と交換機との間に介在された誤ダイヤル防止のためのアダプタ装置であって、送信側ファクシミリ装置からのダイヤル情報が誤ダイヤル情報として蓄積したダイヤル情報と同じであった場合には、送信側ファクシミリ装置と交換機側との通信回線の接続を切替ＳＷ部にて切り離し誤ダイヤルを防止し、ファクシミリ装置のオンフック検出後に送信側ファクシミリ装置と交換機側との通信回線の接続を元に戻す機能を有するシステム制御部を備えたことを特徴とするアダプタ装置。
【請求項３】
送信側ファクシミリ装置と交換機との間に介在された誤ダイヤル防止のためのアダプタ装置であって、送信側ファクシミリ装置からのダイヤル情報が誤ダイヤル情報として蓄積したダイヤル情報と同じであった場合には、送信側ファクシミリ装置と交換機側との通信回線の接続を切替ＳＷ部にて切り離し誤ダイヤルを防止すると共に、送信側ファクシミリ装置に対してビジートーンを送出することで送信側ファクシミリ装置のオンフックを促し、ファクシミリ装置のオンフック検出後に送信側ファクシミリ装置と交換機側との通信回線の接続を元に戻す機能を有するシステム制御部を備えたことを特徴とするアダプタ装置。
【請求項４】
請求項１ないし３のいずれか記載のアダプタ装置において、システム制御部は、予め誤ダイヤルを防止したいダイヤル情報を入力し誤ダイヤル情報として蓄積する機能を有することを特徴とするアダプタ装置。
【請求項５】
請求項１ないし３のいずれか記載のアダプタ装置において、システム制御部は、外部メモリカードに対して誤ダイヤル情報をアップロードし、他にダウンロードする機能を有することを特徴とするアダプタ装置。
【発明の詳細な説明】
【技術分野】
【０００１】
本発明は、送信側ファクシミリ装置と交換機との間に用いる誤ダイヤル防止のためのアダプタ装置に関する。
【背景技術】
【０００２】
従来のファクシミリ装置は、送信側ファクシミリ装置にてテンキーやワンタッチキーを押下して、相手側（受信側）ファクシミリ装置のファクス番号をダイヤルし、相手側ファクシミリ装置との通信回線の接続を交換機を介して行い、ファクシミリ通信を行っている。また、相手側ファクシミリ装置とのファクシミリ通信が正常に終了しなかった場合、自動再送信機能によって予め設定された間隔・回数の再送信を自動で行う機能を持っている。
しかし相手側ファクス番号を間違え相手側の装置が電話機であった場合には、送信側ファクシミリ装置は相手側ファクシミリ装置からの受信状態になったことを送信側ファクシミリ装置へ知らせるファクス信号（ＣＥＤ：CallEd station IDentification）を受けることができない。この場合、送信側ファクシミリ装置では発信していることを相手側ファクシミリ装置に知らせる信号（ＣＮＧ：calling tone）を出し続けており、相手側端末（この場合、電話機）の回線断（オンフック）にて送信側ファクシミリ装置は送信動作を停止するものの、自動再発呼機能にて特定の回数の自動再送信を行うため、誤ダイヤルは相手側端末の利用者にとって迷惑なファクスとなっている。
例えば、特許文献１には、ファクシミリ装置に盛り込んだ誤ダイヤル防止機能が提案されている。
【特許文献１】特開平１０−３１３３５４号公報
【発明の開示】
【発明が解決しようとする課題】
【０００３】
誤ダイヤルによる迷惑ファクスを防止する機能をファクシミリ装置にて実現する技術は特許文献１にて既に提案されているが、個々のファクシミリ装置が持つ機能でありファクシミリ装置を交換すると蓄積した情報が引き継げないことや、これら機能をファクシミリ装置本体に組み込むことによるコストアップに繋がるなどの理由で、利便性がある機能にもかかわらずファクシミリ装置に搭載して実現しているものは無い。
本発明は、かかる問題を解決したもので、送信側ファクシミリ装置と交換機との間に用いて誤ダイヤル防止を図ることができるアダプタ装置を提供することを目的とする。
【課題を解決するための手段】
【０００４】
上記目的を達成するために、請求項１記載の発明は、送信側ファクシミリ装置と交換機との間に介在された誤ダイヤル防止のためのアダプタ装置であって、送信側ファクシミリ装置からのダイヤル情報が誤ダイヤル情報として蓄積したダイヤル情報と同じであった場合には、送信側ファクシミリ装置と交換機側との通信回線の接続を切替ＳＷ部にて切り離して誤ダイヤルを防止し、設定された時間経過後に送信側ファクシミリ装置と交換機側との通信回線の接続を元に戻す機能を有するシステム制御部を備えたアダプタ装置を最も主要な特徴とする。
請求項２記載の発明は、送信側ファクシミリ装置と交換機との間に介在された誤ダイヤル防止のためのアダプタ装置であって、送信側ファクシミリ装置からのダイヤル情報が誤ダイヤル情報として蓄積したダイヤル情報と同じであった場合には、送信側ファクシミリ装置と交換機側との通信回線の接続を切り離し誤ダイヤルを防止し、ファクシミリ装置のオンフック検出後に送信側ファクシミリ装置と交換機側との通信回線の切替ＳＷ部での接続を元に戻す機能を有するシステム制御部を備えたアダプタ装置を最も主要な特徴とする。
請求項３記載の発明は、送信側ファクシミリ装置と交換機との間に介在された誤ダイヤル防止のためのアダプタ装置であって、送信側ファクシミリ装置からのダイヤル情報が誤ダイヤル情報として蓄積したダイヤル情報と同じであった場合には、送信側ファクシミリ装置と交換機側との通信回線の接続を切り離し誤ダイヤルを防止すると共に、送信側ファクシミリ装置に対してビジートーンを送出することで送信側ファクシミリ装置のオンフックを促し、ファクシミリ装置のオンフック検出後に送信側ファクシミリ装置と交換機側との通信回線の切替ＳＷ部での接続を元に戻す機能を有するシステム制御部を備えたアダプタ装置を最も主要な特徴とする。
請求項４記載の発明は、請求項１ないし３のいずれか記載のアダプタ装置において、システム制御部は、予め誤ダイヤルを防止したいダイヤル情報を入力し誤ダイヤル情報として蓄積する機能を有するアダプタ装置を主要な特徴とする。
請求項５記載の発明は、請求項１ないし３のいずれか記載のアダプタ装置において、システム制御部は、外部メモリカードに対して誤ダイヤル情報をアップロードし、他にダウンロードする機能を有するアダプタ装置を主要な特徴とする。
【発明の効果】
【０００５】
本発明によれば、送信側ファクシミリ装置と交換機との間に用いる誤ダイヤル防止のためのアダプタ装置であって、送信側ファクシミリ装置からのダイヤル情報が誤ダイヤル情報として蓄積したダイヤル情報と同じであった場合には、送信側ファクシミリ装置と交換機側との通信回線の接続を切り離して誤ダイヤルを防止し、設定された時間経過後に送信側ファクシミリ装置と交換機側との通信回線の接続を元に戻す機能を有することにより、また、送信側ファクシミリ装置からのダイヤル情報が誤ダイヤル情報として蓄積したダイヤル情報と同じであった場合には、送信側ファクシミリ装置と交換機側との通信回線の接続を切り離し誤ダイヤルを防止し、ファクシミリ装置のオンフック検出後に送信側ファクシミリ装置と交換機側との通信回線の接続を元に戻す機能を有することにより、さらには、送信側ファクシミリ装置からのダイヤル情報が誤ダイヤル情報として蓄積したダイヤル情報と同じであった場合には、送信側ファクシミリ装置と交換機側との通信回線の接続を切り離し誤ダイヤルを防止すると共に、送信側ファクシミリ装置に対してビジートーンを送出することで送信側ファクシミリ装置のオンフックを促し、ファクシミリ装置のオンフック検出後に送信側ファクシミリ装置と交換機側との通信回線の接続を元に戻す機能を有することにより、送信側ファクシミリ装置と交換機との間に用いて誤ダイヤル防止を図ることができる。
【発明を実施するための最良の形態】
【０００６】
以下、本発明の実施の形態を図面に従って説明する。
図１は本発明の実施の形態に係るアダプタ装置の構成図、図２は図１に示すアダプタ装置の接続形態図である。
図２に示すように、本発明のアダプタ装置１は、送信側ファクシミリ装置２と交換機３の間に設けてあり、また交換機３を介して相手側（受信側）ファクシミリ装置４および電話機５と接続されている。
図１に示すアダプタ装置１において、操作部１１は、システム制御部１３とのデータのやり取りを行い、各種キー入力により入力されたデータをシステム制御部１３に渡す制御を行う。操作部１１としては、メカニカルキーやタッチパネルキーが挙げられる。
表示・通知部１２は、システム制御部１３より指示を受け、ＬＥＤの点灯やＬＣＤ表示などの表示装置への表示や、ブザーなどの鳴動を行う。表示部は、設定などを行う際の各操作をする際のメニューなどを表示し、設定時に操作部１１にて入力された設定情報を表示する。また通知部は、操作部１１にて操作した際のａｃｋ音やｎａｃｋ音をブザーで鳴らし、誤ダイヤルがあった場合などにブザーやＬＥＤ点灯を行う。
システム制御部１３は、ＣＰＵ（Central Processing Unit）、ＲＯＭ（Read Only Memory）およびＲＡＭ（Randam Access Memory）等を有し、ＲＯＭ内には本発明のプログラムが格納されている。システム制御部１３はＲＯＭ内のプログラムに従って各部を制御し、本発明の機能を実行する。また、時計機能などを持つ。ＲＯＭにおいてはキャラクタ情報を格納する領域を持ち、先のＲＯＭと同一のＲＯＭにて構成することも可能である。また、ＲＡＭは、バッテリーバックアップすることにより情報を保持することも可能であり、本発明ではＲＡＭに誤ダイヤル情報を蓄積する。
【０００７】
トーン検出部１４は、ファクシミリ装置側−交換機側間の通信線路上のＤＴＭＦ（Dial Tone Multi Frequency）信号を検出する機能を持つ。ＤＴＭＦ検出はＤＴＭＦレシーバなどの専用ＩＣで検出しシステム制御部１３に通知する方式や、トーン検出部１４ではアナログ信号をデジタル信号に変換するレベル変換のみ行いシステム制御部１３にてＤＴＭＦ信号の検出をソフトウェアにて行う方式がある。また、ＤＴＭＦ信号以外のトーン信号も検出することもできる。
直流検出部１５は、ファクシミリ装置側−交換機側間の通信線上の直流ループ状態を検出する機能を持つ。また直流検出は直流ループ状態の検出の他、ファクシミリ装置側のＤＰ（ダイヤルパルス）信号の検出としても用いることができる。このときのダイヤルパルス信号の検出はシステム制御部１３にて直流ループ状態のＯＮ／ＯＦＦ状態（ＯＮ時間、ＯＦＦ時間、間隔）を検出することで行う。
切替ＳＷ部１６は、メカニカルリレーやフォトＭＯＳリレーであり、ファクシミリ装置側と交換機側との接続を接離する際に用いる。また交換機側を切り離した際には、ファクシミリ装置側のオンフック状態を直流検出部１５にて検出するため直流供給部１７に接続する。
直流供給部１７は、ファクシミリ装置側のフック状態を検出するための直流を供給する。
トーン送出部１８は、ファクシミリ装置側と交換機側の接続を“切替ＳＷ部１６にて切り離した際に、ファクシミリ装置側にオンフックを促すためにビジートーン信号を送出する。またビジートーン信号以外のトーン信号も送出することができる。
外部メモリ部１９は、システム制御部１３の設定情報等をバックアップのために保存したり、内部の設定情報をシステム制御部１３に設定したりする際に用いる。外部メモリ部１９としては、取り外し可能なカードメモリとすることで、他のシステムとの情報を共有することができ、インターフェースとしては、ＰＣＭＣＩＡ規格のフラッシュメモリカードやＡＴＡフラッシュメモリカード、ＳＲＡＭカードなどの他、コンパクトフラッシュ（登録商標）カード、スマートメディアカード、ＳＤメモリカード、ｍｉｎｉＳＤカード、マルチメディアカード、メモリスティック、メモリスティックデュオなどがある。
【実施例１】
【０００８】
実施例１の動作について、図３のフローを用いて説明する。実施例１は直流供給部１７、トーン送出部１８、外部メモリ部１９は搭載しないシステムである。
実施例１のアダプタ装置は、送信側ファクシミリ装置２が送信時に回線を閉結（オフフック）し、ダイヤル情報を送出する際の起点となるフック状態を検出する（Ｓ３−１）。このフック状態は、直流検出部１５にてオフフック時に交換機３から供給される電流のループが送信側ファクシミリ装置２によって形成された際の直流電流を検出することで、オフフックとして検出する。
オフフック検出後は、送信側ファクシミリ装置２から送出されるダイヤル情報を検出する（Ｓ３−２）。この時、ダイヤル情報は、ＤＴＭＦ信号またはＤＰ信号で送出され、ＤＴＭＦ信号の場合には、トーン検出部１４にてＤＴＭＦ信号をダイヤル情報として検出する。またＤＰ信号の場合には、直流検出部１５にて直流電流の流れた時間（ＯＮ時間）と流れない時間（ＯＦＦ時間）の繰り返しパルスをダイヤル情報として検出する。ダイヤル情報は、トーン検出部１４あるいは直流検出部１５からなる検出部にて検出する。
これらダイヤル情報の検出は、ＤＴＭＦ信号とＤＰ信号とがあるが、接続する回線との条件（契約）によってどちらか一方に限られるため、予めＤＴＭＦ信号での検出かあるいはＤＰ信号での検出かを設定することで、システム制御部１３の負荷（ＣＰＵ負荷）を低減することもでき、負荷低減は装置のコスト低減（速度の遅いＣＰＵ（＝安い）が使えるなど）にも寄与できメリットがある。
検出したダイヤル情報は、既に誤ダイヤル情報としてシステム制御部１３に蓄積されているダイヤル情報との比較を行う（Ｓ３−３）。比較は、同一市内であっても市外局番を付加してダイヤルする場合もあり得るので、比較は市外局番を除いたダイヤル情報で比較することが望ましい。
比較した結果、誤ダイヤル情報として該当しない場合は、次に相手側ファクシミリ装置４からのファクシミリ信号を待つ（Ｓ３−４）。ファクシミリ信号としては、受信状態になったことを送信側ファクシミリ装置２に知らせる信号であるＣＥＤ（CallEd station IDentification）信号が２１００Ｈｚの単一信号であり装置構成が簡単になりトーン検出部１４にて検出できコスト低減に寄与でき望ましいが、トーン検出部１４にトーン信号だけでなくファクシミリモデム信号までの検出可能なファクシミリモデム等を搭載してＮＳＦ（Non Standard Facilities）やＤＩＳ（Digital Identification Signal）などの信号まで検出しても良い。
ここで、ファクシミリ信号がトーン検出部１４にて検出できた場合には、送信側ファクシミリ装置２と相手側ファクシミリ装置４との間にてファクシミリ通信が行われているため、本発明のアダプタ装置１としては、そのファクシミリ通信の終了を識別するため、送信側ファクシミリ装置２のフック状態がオンフック状態になることを直流検出部１５にて検出したのち終了する（Ｓ３−５）。
また、ファクシミリ信号の検出にてファクシミリ信号が検出できなく（Ｓ３−４）、予めシステム制御部１３に設定された規定時間経過後は（Ｓ３−６）、ダイヤルした宛先はファクシミリ装置では無かったと判断し、そのダイヤル情報は誤ダイヤル情報としてシステム制御部１３に蓄積する（Ｓ３−７）。
【０００９】
なお、この誤ダイヤル情報の蓄積は１回だけで誤ダイヤル情報として蓄積するだけでなく、そのダイヤル情報の相手側からファクシミリ信号が検出できなかったことが連続して設定した回数発生した場合にのみ誤ダイヤル情報として蓄積するようにすることも可能である。
この場合には、その相手側のダイヤル情報に対してファクシミリ信号検出できなかった場合にカウントを進め、設定されたカウントになった場合には誤ダイヤル情報として蓄積する処理と、ファクシミリ信号が検出できないことがありカウントが進んでいるが、ファクシミリ信号が検出できた場合にはそのカウントをクリアする処理を実行することで不用意に誤ダイヤル情報として蓄積することを防ぐこともできる。
また、検出したダイヤル情報が既に誤ダイヤル情報としてシステム制御部１３に蓄積されている場合（Ｓ３−３）、ダイヤルしている宛先はファクシミリ装置では無いことから回線を切断するために、切替ＳＷ部１６を交換機３側から切り離す。
切替ＳＷ部１６にてファクシミリ装置と交換機３側との接続を切り離した状態のままだと、ファクシミリ装置が交換機３に繋がることが無くなったままとなるため、切替ＳＷ部１６を元に戻すための予め設定されて時間を待ち（Ｓ３−９）、切替ＳＷ部１６を元に戻しファクシミリ装置と交換機３側とを接続する。
なお、この待ち時間は、一般的なファクシミリ装置であれば交換機３から直流が絶たれることですぐに回線断であることから送信動作を停止しオンフックにするため、数秒で十分であるが、ファクシミリ装置によって動作が異なるため、待ち時間の設定値を操作部１１、表示・通知部１２を用いて設定することも可能であるし、システム制御部１３にディップスイッチのようなサービスレベルで操作するＳＷを設けて１分ごとの段階的な設定を可能にすることもできる。
【実施例２】
【００１０】
実施例２の動作について、図４のフローを用いて説明する。この図４に示すフローにおいて、ステップ４−１〜４−５及びステップ４−６、４−７は、図３に示すステップ３−１〜３−５及びステップ３−６、３−７と同じである。この図４では、ステップ４−３にて誤ダイヤルと判定された場合の後処理、すなわち「検出したダイヤル情報が既に誤ダイヤル情報としてシステム制御部１３に蓄積されているダイヤル情報であった場合の後処理」が実施例１と異なるため、ここについて説明し、その他の説明は割愛する。尚、実施例２においては、トーン送出部１８、外部メモリ部１９は搭載しないシステムである。
実施例２のアダプタ装置は、検出したダイヤル情報が既に誤ダイヤル情報としてシステム制御部１３に蓄積されている場合（Ｓ４−３）、ダイヤルしている宛先はファクシミリ装置では無いことから回線を切断するために、切替ＳＷ部１６を交換機３側から切り離す（Ｓ４−８）。
交換機３側から切り離した場合でも、直流供給部１７にて送信側ファクシミリ装置２には直流供給が行われているため、直流検出部１５にて送信側ファクシミリ装置２のフック状態を検出し（Ｓ４−９）、オンフック検出後に切替ＳＷ部１６を元に戻しファクシミリ装置と交換機３側とを接続する（Ｓ４−１０）。
【実施例３】
【００１１】
実施例３の動作について、図５のフローを用いて説明する。この図５に示すフローにおいて、ステップ５−１〜５−５及びステップ５−６、５−７は、図３に示すステップ３−１〜３−５及びステップ３−６、３−７と同じである。この図５では、実施例１（あるいは実施例２）と同様にステップ５−３にて誤ダイヤルと判定された場合の後処理、すなわち「検出したダイヤル情報が既に誤ダイヤル情報としてシステム制御部１３に蓄積されているダイヤル情報であった場合の後処理」が実施例１と異なるため、ここについて説明し、その他の説明は割愛する。また、実施例３においては、外部メモリ部１９は搭載しないシステムである。
実施例３のアダプタ装置は、検出したダイヤル情報が既に誤ダイヤル情報としてシステム制御部１３に蓄積されている場合（Ｓ５−３）、ダイヤルしている宛先はファクシミリ装置では無いことから回線を切断するために、切替ＳＷ部１６を交換機３側から切り離す（Ｓ５−８）。
交換機３側から切り離した場合でも、直流供給部１７にて送信側ファクシミリ装置２には直流供給が行われており送信側ファクシミリ装置２はＣＮＧ信号を出し続けているため、送信側ファクシミリ装置２にオンフックを促すためにトーン送出部１８にてビジートーンを送出する（Ｓ５−９）。この後、直流検出部１５にて送信側ファクシミリ装置２のフック状態を検出し（Ｓ５−１０）、オンフック検出後に切替ＳＷ部１６を元に戻しファクシミリ装置と交換機３側とを接続する（Ｓ５−１１）。
【実施例４】
【００１２】
実施例４の動作について、図１のブロック図を用いて説明する。実施例４のアダプタ装置は、誤ダイヤル情報としてアダプタ装置１に登録したいダイヤル情報を操作部１１、表示・通知部１２を用いてシステム制御部１３に登録することで、実施例１〜３のダイヤル情報検出後の蓄積された誤ダイヤル情報との比較において比較対象とすることができる。
また誤ダイヤル情報として、数字の他、アスタリスク「＊」をワイルドカードとして用いることで、ある局番には送信を防ぐようにするといった設定も可能となる（ｅｘ．０４５  ＊＊＊  ＊＊＊＊と設定することで、０４５の市外局番には送信を防ぐことができるようになる）。
【実施例５】
【００１３】
実施例５の動作について、図１のブロック図を用いて説明する。実施例５のアダプタ装置は、誤ダイヤル情報としてシステム制御部１３に蓄積しているダイヤル情報を、操作部１１、表示・通知部１２を用いて外部メモリ部１９に接続するメモリカードに転送することができ、また外部メモリ部１９に接続するメモリカードに蓄積しているダイヤル情報をシステム制御部１３に誤ダイヤル情報として蓄積することができる。
メモリカードへ転送する際のファイル形式は、特に限定する必要は無いが、メモリカードをＰＣ（パーソナルコンピュータ）などでも編集することができるようにすることで、より利便性が高まることから、ＣＳＶ形式やＴＥＸＴ形式などの形式にすることが望ましい。
本発明によれば、送信側ファクシミリ装置から送信操作をしたときのダイヤル情報が、相手側がファクシミリ装置で無かった場合の誤ダイヤル情報と同じダイヤル情報であった場合には回線を切り離し誤ダイヤルが防止できる。またアダプタ装置とすることで、ファクシミリ装置に依存せずに誤ダイヤル防止機能が活用できる。
また、送信側ファクシミリ装置のフック状態を監視して切り離した回線を元に戻すことでファクシミリ装置が交換機に接続できないタイミングを無くすことができる。
また、ファクシミリ装置に対してビジートーンを出すことでファクシミリ装置のオンフックを早めファクシミリ送信ができるまでの時間を短くすることができる。
また、ファクシミリ送信先のファクシミリ番号が電話番号と似通っている場合や、８や０などの数字の読み間違いをしやすいダイヤル情報を予め誤ダイヤル情報として設定することで、その相手側に対して一度も誤ダイヤルすることなく誤ダイヤルを防止することができる。また、誤ダイヤル防止だけでなく送信を防ぎたい相手側として登録することもできる。さらに、誤ダイヤル情報として数字の他にアスタリスク「＊」などをワイルドカードとして有効とすることにより、送信を防ぎたい範囲を広げる（市外には送信しないようにする）こともできる。
また、複数のファクシミリ装置を使用している場合でも、それぞれのファクシミリ装置に接続するアダプタ装置に対して同じ誤ダイヤル情報を設定することができ、会社の事業所などのように複数のファクシミリ装置を利用している場合でも誤ダイヤルとなる相手側に対しての誤ダイヤルを防止することができる。さらにメモリカードとすることで、ＰＣ（パーソナルコンピュータ）にてダイヤル情報を編集することができ利便性が高くなる。
【図面の簡単な説明】
【００１４】
【図１】本発明の実施の形態に係るアダプタ装置の構成図である。
【図２】図１に示すアダプタ装置を含むファクシミリ送受信の接続形態図である。
【図３】実施例１の動作を示すフローチャートである。
【図４】実施例２の動作を示すフローチャートである。
【図５】実施例３の動作を示すフローチャートである。
【符号の説明】
【００１５】
１  アダプタ装置、２  送信側ファクシミリ装置、３  交換機、４  相手側ファクシミリ装置、５  電話機、１１  操作部、１２  表示・通知部、１３  システム制御部、１４  トーン検出部、１５  直流検出部、１６  切替ＳＷ部、１７  直流供給部、１８  トーン送出部、１９  外部メモリ
【図１】
2005236580.tif 000003
【図２】
2005236580.tif 000004
【図３】
2005236580.tif 000005
【図４】
2005236580.tif 000006
【図５】
2005236580.tif 000007